(57)【特許請求の範囲】
【請求項１】
洗面ボールの排水孔に上下動可能な排水弁を備えた排水器具を取り付けてなる洗面化粧台であって、
洗面ボールの排水孔を漸次径が短くなる傾斜面とすると共に内向きの段部を介して内部にインサートナットを配するようにし、排水器具の上部外周にはおねじを設け洗面ボールの下方からインサートナットにねじ込み止めるようにし、排水器具の内周上端部は開放端に向かい漸次径が広くなる傾斜面として排水孔の傾斜面に続くように構成し、
排水弁の径を洗面ボールの排水孔より小さく構成し、排水弁を上昇させ排水するとき、排水弁の上面は洗面ボールの底面とほぼ面一で、排水弁と排水孔及び排水器具の傾斜面との間を排水路とし、
排水弁を下降させ止水するときには、排水弁の周縁の弾性体が排水器具上部の傾斜面に圧接するように構成したことを特徴とする洗面化粧台。
【発明の詳細な説明】
【０００１】
【発明の属する技術分野】
この発明は、洗面ボールの排水孔に上下動可能な排水弁を備えた排水器具を取り付けた洗面化粧台に関するものである。
特に、排水器具本体を洗面ボールの排水孔の下方からねじ込む構成を採用することで、従来のように排水器具のフランジ部が洗面ボールの底面部に露出することで洗面ボールの排水孔廻りに、残水、水垢等の汚れが溜まることを防止し、また、排水弁が排水時に洗面ボールの底面部より突き出すことなく使い勝手を良好にし、さらに、止水する時に排水器具の上部内周面に圧接するような構造をとり入れ、構造的に排水弁の止水機能が洗面ボールの底面部の排水孔の表面状態に左右されず確保できるようにしたものである。
【０００２】
【従来の技術】
従来の洗面化粧台の排水するための構造は、図２に示すように洗面ボール２０の排水孔２１は段部を備えた開口とし、段部にパッキング２２を介して排水器具２３のフランジ２４を落とし込み、三角パッキング２５を介して排水栓ナット２６を排水器具２３の外周のおねじ２７に締め付けることで排水器具２３のフランジ２４をパッキング２２、２５に押し付けるようにしていた。
図示の例では、排水器具２３に昇降可能な排水弁２８を備えるようにしてなるもので、この排水弁２８は常態では排水器具２３の開口より突出し、止水するときに下降し開口を塞ぐようになっている。昇降させる手段としては洗面化粧台の正面に配置する操作レバー（図示せず）が鋼線に繋がっており、この鋼線で梃板を起伏させたりすることで排水弁２８を昇降させるようになっている。
【０００３】
このように、洗面ボール２０の底面部に排水孔２１を設け、排水孔２１に排水器具２３本体を排水孔２１上部より落とし込み、フランジ２４を洗面ボール２０の排水孔２１に引っかける状態で保持すると、排水器具２３のフランジ２４は洗面ボール２０の底面に常時露出した状態となり、フランジ２４周囲に残水、水垢等の汚れが溜まり、見苦しくなっていた。
また、排水器具２３本体内で上下に可動する排水弁２８は、止水時、フランジ２４とほぼ面一となるが、排水時には排水弁２８は排水器具２３のフランジ２４より上方に保持され、洗面ボール２０の底面より突き出した状態となり、コップ等の容器を置いた場合、排水弁２８に容器の底が当たり、不安定な状態となり、使い難いという問題があった。
【０００４】
【発明が解決しようとする課題】
洗面ボールの排水孔の段部周縁と排水器具のフランジ部周囲の残水、汚れ等による見苦しさが生じないようにし、また、排水時に排水弁が洗面ボールの底より突出することによる、洗面ボール内に置く容器類の使い難さを解消する構成については、特開平１０−１３１２５５号公報に開示されている。
しかし、この発明は排水器具を洗面ボールの排水孔の下方から直接ねじ止めすることで排水器具のフランジを不要とするもので、洗面ボールを裏返しても簡単に取り付けられるようにしたものである。すなわち、従来例として提示した図２に示す技術や特開平１０−１３１２５５号公報に開示されている技術では洗面ボールを裏返して取り付けるのが実際上困難で取り付け方向が限定されていた。
また、止水状態では、排水弁が排水器具の上部傾斜面に当接するような構成を採用することで前記先行技術とは異なる構成を採用した。
これは、特開平１０−１３１２５５号公報にて採用された排水栓を洗面ボールの排水孔の内周面に当接する構成では洗面ボールの排水孔内周面の表面の平滑性により止水性能が左右されるからである。
【０００５】
【課題を解決するための手段】
請求項１の発明の要旨とするのは、洗面ボールの排水孔に上下動可能な排水弁を備えた排水器具を取り付けてなる洗面化粧台であって、洗面ボールの排水孔を漸次径が短くなる傾斜面とすると共に内向きの段部を介して内部にインサートナットを配するようにし、排水器具の上部外周にはおねじを設け洗面ボールの下方からインサートナットにねじ込み止めるようにし、排水器具の内周上端部は開放端に向かい漸次径が広くなる傾斜面として排水孔の傾斜面に続くようにし、排水弁の径を洗面ボールの排水孔より小さく構成し、排水弁を上昇させ排水するとき、排水弁の上面は洗面ボールの底面とほぼ面一で、排水弁と排水孔及び排水器具の傾斜面との間を排水路とし、排水弁を下降させ止水するときには、排水弁の周縁の弾性体が排水器具上部の傾斜面に圧接するようにしたものである。
【０００６】
【発明の実施の形態】
以下、図面に示すこの発明の実施の形態に即して説明する。
洗面ボール１は、陶器或いは人工大理石の成形品からなるもので、排水孔２を肉厚の短いリング状の突起として形成し、インサートナット３を予め成形の際に埋設するようにしてある。そして、排水孔２の上部内周（孔縁）は順次径が短くなる湾曲する傾斜面４としてあり、この傾斜面４に続けて内向きの段部５を介してインサートナット３が配置されるようになっている。
【０００７】
排水器具６は、筒状の本体７と、洗面ボール１の排水孔２に臨み上下動可能な排水弁８を内装するようにしてなるもので、本体７の側面に開口を設けた連結部９と、連結部９を被い直角方向に受入筒を設けた連結管１０と図示しないオーバフロー溝より連結管１０に繋げるオーバーフロー管１１で排水を本体７に導くようにしてある。
また、連結管１０を本体７に水密に繋げるために、排水孔２を構成する突起の底面にパッキング１２を介在させ、また連結管１０の下方に三角パッキング１３を挟んで取り付けナット１４を締め付けるようにする。
さらに詳しくは、排水器具６の本体７の上部外周にはインサートナット３にねじ込むためのおねじ１５を形成し、内周上端部は開放端に向かい順次径が広くなる傾斜面１６として、排水孔２の傾斜面４と連続するように構成し、本体７の上端面は洗面ボール１の排水孔２を構成する突起の内向きの段部５に圧接するよう平坦面としてある。
【０００８】
排水弁８の外径は洗面ボール１の排水孔２の内径より小さく構成し、排水弁８を上昇させ排水するとき、排水弁８の上面は洗面ボール１の底面とほぼ面一となり、排水路１７は、排水弁８の外縁と、洗面ボール１の排水孔２の上部内周及び排水器具６の本体７の内周上部の夫々の傾斜面４及び傾斜面１６との間となるようにしてある。
排水弁８を下降させ止水するときには、排水弁８の周縁の弾性体１８が排水器具６の本体７の上部の傾斜面１６に圧接するように構成してある。
【０００９】
排水器具６に内装される排水弁８は、詳細な図示は省略するが洗面ボール１の表面立ち上がり部に設けられる操作レバーにより鋼線を通して上下に移動することになる。
なお、排水は排水器具６により垂直に導かれるようにするものとしてあるが、下水の立ち上り管の配置により図示しないが側方に導くようにしてもよい。
【００１０】
【発明の効果】
この発明によれば、排水器具本体のフランジをなくし、洗面ボール底面部に排水器具本体を露出することなく固定でき、排水口廻りの汚れ等を防止できる。
排水時、排水弁が洗面ボール底面部より突出する高さが抑えられ、容器類を安定した状態で使用できる。
排水弁は排水器具本体の内周面に接して止水するため、洗面ボールの表面状態に左右されずに止水性能を確保できる。そこで、比較的成形誤差の生じがちな陶磁器製の洗面ボールであっても十分な止水性能が確保できることになる。
洗面ボールの排水孔に臨むようにインサートナットを配するようにし、排水器具の上部外周にはおねじを設け洗面ボールの下方からインサートナットにねじ込み止めるようにしたので、洗面ボール単体で裏返して排水器具を簡単に取り付けることができるのである。
【図面の簡単な説明】
【図１】この発明に係る洗面化粧台の要部断面図である。
【図２】従来の洗面化粧台の要部断面図である。
【符号の説明】
１  洗面ボール
２  排水孔
３  インサートナット
４  傾斜面
５  段部
６  排水器具
７  本体
８  排水弁
１５  おねじ
１６  傾斜面
１８  弾性体
【図１】
0004308973.tif 000002
【図２】
0004308973.tif 000003